【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
基地局から送信されるＯＦＤＭ方式の信号を受信し復調する受信信号復調方法であって、
前記ＯＦＤＭ方式の信号は、複数のキャリア群に対して、複数の端末宛の送信データが割り当てられ、前記複数のキャリア群の各々のフレーム構成として、１つの変調信号が送信される第１のフレーム構成、又は、複数の変調信号が複数のアンテナを用いて送信される第２のフレーム構成が用いられた信号であり、前記複数のキャリア群の各々は複数のキャリアを含むものであり、
受信した信号に含まれる制御情報に基づいて、自己宛の送信データが割り当てられたキャリア群を特定し、
前記特定したキャリア群について、前記第１のフレーム構成を用いて送信された前記１つの変調信号を復調することにより、又は、前記第２のフレーム構成を用いて送信された前記複数の変調信号を復調することにより、受信データを生成する
受信信号復調方法。
【請求項２】
前記受信した信号から伝搬路状況を推定し、
前記推定した伝搬路状況に関する電波伝搬環境情報を前記基地局へ送信する
請求項１に記載の受信信号復調方法。
【請求項３】
前記電波伝搬環境情報は、受信信号電界強度、又は、チャネル状態情報である
請求項２に記載の受信信号復調方法。
【請求項４】
前記変調信号は、
前記複数の端末のいずれかに対する送信データを送信するためのデータシンボルと、
前記データシンボルよりも時間軸において前方に配置され、前記変調信号を受信した端末が、前記送信データを復号する際に利用する制御シンボルと、
を有する
請求項１乃至３いずれか一項に記載の受信信号復調方法。
【請求項５】
前記変調信号は、
前記複数の端末のいずれかに対する送信データを送信するためのデータシンボルと、
前記データシンボルよりも時間軸において前方に配置され、時間同期、周波数オフセット、伝送路歪みの少なくともいずれかを推定するための推定シンボルと、
を有する
請求項１乃至３いずれか一項に記載の受信信号復調方法。
【請求項６】
前記ＯＦＤＭ方式の信号の受信は、複数の端末側アンテナを用いて行われる
請求項１乃至５いずれか一項に記載の受信信号復調方法。
【請求項７】
前記第２のフレーム構成では、前記複数の変調信号が、前記基地局が有する複数の基地局側アンテナから送信される
請求項１乃至６いずれか一項に記載の受信信号復調方法。
【請求項８】
前記第２のフレーム構成では、前記複数の変調信号が、前記複数の基地局側アンテナを用いて、同一周波数帯域で送信される
請求項７に記載の受信信号復調方法。
【請求項９】
基地局から送信されるＯＦＤＭ方式の信号を受信し復調する受信信号復調装置であって、
前記ＯＦＤＭ方式の信号は、複数のキャリア群に対して、複数の端末宛の送信データが割り当てられ、前記複数のキャリア群の各々のフレーム構成として、１つの変調信号が送信される第１のフレーム構成、又は、複数の変調信号が複数のアンテナを用いて送信される第２のフレーム構成が用いられた信号であり、前記複数のキャリア群の各々は複数のキャリアを含むものであり、
受信信号が入力される入力部と、
前記入力部に入力された受信信号に含まれる制御情報に基づいて、自己宛の送信データが割り当てられたキャリア群を特定し、前記特定したキャリア群について、前記第１のフレーム構成を用いて送信された前記１つの変調信号を復調することにより、又は、前記第２のフレーム構成を用いて送信された前記複数の変調信号を復調することにより、受信データを生成する復調部と、
を具備する受信信号復調装置。
【請求項１０】
前記受信信号から伝搬路状況を推定する伝搬路状況推定部と、
前記推定した伝搬路状況に関する電波伝搬環境情報を前記基地局へ送信する送信部と、
をさらに具備する請求項９に記載の受信信号復調装置。
【請求項１１】
前記電波伝搬環境情報は、受信信号電界強度、又は、チャネル状態情報である
請求項１０に記載の受信信号復調装置。
【請求項１２】
前記変調信号は、
前記複数の端末のいずれかに対する送信データを送信するためのデータシンボルと、
前記データシンボルよりも時間軸において前方に配置され、前記変調信号を受信した端末が、前記送信データを復号する際に利用する制御シンボルと、
を有する
請求項９乃至１１いずれか一項に記載の受信信号復調装置。
【請求項１３】
前記変調信号は、
前記複数の端末のいずれかに対する送信データを送信するためのデータシンボルと、
前記データシンボルよりも時間軸において前方に配置され、時間同期、周波数オフセット、伝送路歪みの少なくともいずれかを推定するための推定シンボルと、
を有する
請求項９乃至１１いずれか一項に記載の受信信号復調装置。
【請求項１４】
前記ＯＦＤＭ方式の信号の受信は、複数の端末側アンテナを用いて行われる
請求項９乃至１３いずれか一項に記載の受信信号復調装置。
【請求項１５】
前記第２のフレーム構成では、前記複数の変調信号が、前記基地局が有する複数の基地局側アンテナから送信される
請求項９乃至１４いずれか一項に記載の受信信号復調装置。
【請求項１６】
前記第２のフレーム構成では、前記複数の変調信号が、前記複数の基地局側アンテナを用いて、同一周波数帯域で送信される
請求項１５に記載の受信信号復調装置。
【手続補正２】
【補正対象書類名】明細書
【補正対象項目名】発明の名称
【補正方法】変更
【補正の内容】
【発明の名称】受信信号復調方法及び受信信号復調装置
【手続補正３】
【補正対象書類名】明細書
【補正対象項目名】００１０
【補正方法】変更
【補正の内容】
【００１０】
本発明の受信信号復調方法の一つの態様は、基地局から送信されるＯＦＤＭ方式の信号を受信し復調する受信信号復調方法であって、前記ＯＦＤＭ方式の信号は、複数のキャリア群に対して、複数の端末宛の送信データが割り当てられ、前記複数のキャリア群の各々のフレーム構成として、１つの変調信号が送信される第１のフレーム構成、又は、複数の変調信号が複数のアンテナを用いて送信される第２のフレーム構成が用いられた信号であり、前記複数のキャリア群の各々は複数のキャリアを含むものであり、受信した信号に含まれる制御情報に基づいて、自己宛の送信データが割り当てられたキャリア群を特定し、前記特定したキャリア群について、前記第１のフレーム構成を用いて送信された前記１つの変調信号を復調することにより、又は、前記第２のフレーム構成を用いて送信された前記複数の変調信号を復調することにより、受信データを生成する。
【手続補正４】
【補正対象書類名】明細書
【補正対象項目名】００１１
【補正方法】変更
【補正の内容】
【００１１】
本発明の受信信号復調装置の一つの態様は、基地局から送信されるＯＦＤＭ方式の信号を受信し復調する受信信号復調装置であって、前記ＯＦＤＭ方式の信号は、複数のキャリア群に対して、複数の端末宛の送信データが割り当てられ、前記複数のキャリア群の各々のフレーム構成として、１つの変調信号が送信される第１のフレーム構成、又は、複数の変調信号が複数のアンテナを用いて送信される第２のフレーム構成が用いられた信号であり、前記複数のキャリア群の各々は複数のキャリアを含むものであり、受信信号が入力される入力部と、前記入力部に入力された受信信号に含まれる制御情報に基づいて、自己宛の送信データが割り当てられたキャリア群を特定し、前記特定したキャリア群について、前記第１のフレーム構成を用いて送信された前記１つの変調信号を復調することにより、又は、前記第２のフレーム構成を用いて送信された前記複数の変調信号を復調することにより、受信データを生成する復調部と、を具備する構成を採る。